(57)【要約】【課題】  長物の被切断物のセット作業が身体を移動させることなく効率的に行える置型電動等切断装置および切断装置支持装置を提供することを目的としている。【解決手段】  天秤状態で長物の被切断物２をセットし、この被切断物２傾きに被切断物支持部３の傾きを合わせ挟持部９で該２を締め付け挟持して被切断物支持部３と被切断物２を固定し、切断刃５を降ろし被切断物２を切断する。【選択図】図１
2005224931.tif 000002
【特許請求の範囲】
【請求項１】
被切断物を載せ支持する床などの装置置き面に置かれる被切断物支持部と、
この被切断物支持部に固定された切断刃支持部と、
この切断刃支持部に設けられた前記被切断物支持部に支持された被切断物を切断するために該被切断物に向けて上下動操作される切断刃を取り付ける切断刃セット部と、
前記被切断物支持部と前記切断刃支持部および該切断刃支持部にセットされた前記切断刃を、前記被切断物支持部にセットされる被切断物の傾きに合わせて傾かせるための傾形成手段とからなることを特徴とする置型電動等切断装置。
【請求項２】
主に床などの装置置き面に置いて使用する電動丸鋸装置などの切断装置を載せ置くことができ且つこの載せた切断装置にセットされた被切断物の傾きに合わせて該切断装置を傾かせることができる傾形成手段を設けてなることを特徴とする切断装置支持装置。
【請求項３】
主に床などの装置置き面に置いて使用する電動丸鋸装置などの切断装置を載せる装置載せ部と、
この装置載せ部の下部あるいは上部の略中央前後線上に突出設けた傾形成手段とからなり、
前記切断装置を前記装置載せ部に載せた状態で前記傾形成手段を支点に該切断装置および該装置載せ部を左右にあるはいずれか一方に、前記切断装置にセットされる被切断物の傾きに合わせて傾かせることができるようにしてなることを特徴とする切断装置支持装置。
【請求項４】
主に床などの装置置き面に置いて使用する電動丸鋸装置などの切断装置の底部略中央前後線上に粘着剤やネジなどにより固定される固定部と、
この固定部の下部に突出設けられた前記切断装置を天秤形態に支持する傾形成手段からなり、
前記切断装置を前記傾形成手段を支点に該切断装置を左右にあるはいずれか一方に、前記切断装置にセットされる被切断物の傾きに合わせて傾かせることができるようにしてなることを特徴とする切断装置支持装置。
【発明の詳細な説明】
【技術分野】
【０００１】  本発明は、置型電動等切断装置および切断装置支持装置に関する。
【背景技術】
【０００２】  従来の床置型電動鋸装置などの置型電動等切断装置は、被切断物支持部は装置置き面と水平に置かれ、該水平状態は固定される構成であった。【０００３】  従来技術は被切断物支持部は装置置き面と平行に置かれその平行状態が固定される形態であるので、被切断物が長物である場合は被切断物を水平にするために持ち上げ台を被切断物の下に入れて水平にするなどの身体を移動させての被切断物のセット作業が必要となり、作業が煩雑で非効率的であるという欠点があった。
【発明の開示】
【発明が解決しようとする課題】
【０００４】  本発明は以上のような従来技術の欠点に鑑み、長物の被切断物のセット作業が身体を移動させることなく効率的に行える置型電動等切断装置および切断装置支持装置を提供することを目的としている。【０００５】  本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】  上記目的を達成するために本発明は、被切断物を載せ支持する床などの装置置き面に置かれる被切断物支持部と、この被切断物支持部に固定された切断刃支持部と、この切断刃支持部に設けられた前記被切断物支持部に支持された被切断物を切断するために該被切断物に向けて上下動操作される切断刃を取り付ける切断刃セット部と、前記被切断物支持部と前記切断刃支持部および該切断刃支持部にセットされた前記切断刃を、前記被切断物支持部にセットされる被切断物の傾きに合わせて傾かせるための傾形成手段とで置型電動等切断装置を構成している。【０００７】  また、主に床などの装置置き面に置いて使用する電動丸鋸装置などの切断装置を載せる装置載せ部と、この装置載せ部の下部あるいは上部の略中央前後線上に突出設けた傾形成手段とで、前記切断装置を前記装置載せ部に載せた状態で前記傾形成手段を支点に該切断装置および該装置載せ部を左右にあるはいずれか一方に、前記切断装置にセットされる被切断物の傾きに合わせて傾かせることができるようにしてなる切断装置支持装置を構成している。
【発明の効果】
【０００８】  以上の説明から明らかなように、本発明にあっては次に列挙する効果が得られる。【０００９】  長物である被切断物の傾きに合わせて被切断物支持部および切断刃を傾けて被切断物の切断部位を正確に垂直にあるいは切断刃を任意の角度に傾けることができる装置においては求める角度に正確に切断することができるものであるので、被切断物の傾きを調節するための身体の移動させての調節作業をすることなく、作業効率性の大変良いという効果を得ることができる。
【発明を実施するための最良の形態】
【００１０】  以下、図面に示す発明を実施するための最良の形態により、本発明を詳細に説明する。【００１１】  図１に示す本発明を実施するための最良の第１の実施の形態において１は床置型の電動切断装置であって、この切断装置１は被切断物２を載せ支持する床などの装置置き面に置かれる被切断物支持部３と、この被切断物支持部３に固定された切断刃支持部４と、この切断刃支持部４に設けられた被切断物支持部３に支持された被切断物２を切断するために該被切断物２に向けて上下動操作される切断刃５を取り付ける切断刃セット部６と、被切断物支持部３と切断刃支持部４および該４にセットされた切断刃５を一体的に被切断物支持部３にセットされる長物である被切断物２の傾きに合わせて傾かせるための傾形成手段７とからなっている。
被切断物支持部３はベース８と、このベース８の上部に設けられた被切断物２を締め付け挟持する挟持部９と、この挟持部９を締め付け動作させる締め付け手段（図示せず）とからなっている。
切断刃支持部４は切断刃５を駆動する駆動モータ１０と、切断刃５および駆動モータ１０を被切断物支持部３上に垂直に回動操作できるように支持する駆動部支持アーム１１と、切断刃５を垂直回動操作するための手で握る操作柄１２とからなっている。
傾形成手段７は被切断物支持部３の略中程上部に設けられた軸１３と、この軸１３に回動自在に軸支された持上げ脚１４と、この持上げ脚１４に設けられた手で握る握り柄１５と、被切断物支持部３の下部に設けられた回動立てた持上げ脚１４の回動を止めるストッパー１６とからなっている。
持上げ脚１４は被切断物支持部３の前部と後部にそれぞれあり、一体的に動作するように連結されている。
握り柄１５を左手で握り下内向きに抑え被切断物支持部３を右手で左側に強く押し移動させると、持上げ脚１４がつっかえ棒となって該１４は回動立ち同時に被切断物支持部３が置き面から該１４を軸にして持ち上がる（図１の下図）。持上げ脚１４はストッパー１６で回動は止められ立ち状態が固定される。
すなわち図１の下図に示すように天秤支持状態となるのである。
この天秤状態で長物の被切断物２をセットし、この被切断物２傾きに被切断物支持部３の傾きを合わせ挟持部９で該２を締め付け挟持して被切断物支持部３と被切断物２を固定し、切断刃５を降ろし被切断物２を切断する。
傾形成手段の形態は、脚部をラックとして小歯車やウオーム歯車などにより該脚部を垂直昇降させる、カム形態物を回転させる、軸を中心からずらした円盤を回転させる、油圧ジャッキーによるものなど多様な形態がある。【００１２】（発明を実施するための異なる形態）
次に、図２ないし図６に示す本発明を実施するための異なる形態について説明する。なお、これら本発明を実施するための異なる形態の説明に当たって、本発明を実施するための最良の第１の実施の形態と同一構成部分には同一符号を付して重複する説明を省略する。【００１３】  図２に示す本発明の最良の第２の実施の形態において前記本発明の最良の第１の実施の形態と主に異なる点は、傾形成手段をベース８の中央に立て下げ固定した前後に設けた傾形成脚１９と、この傾形成脚１９の下部に軸支された足部２０と、ベース８の左前後に一体動作するように連結されて設けられた廻し摘み２１により内側に回動されたベース８内に収納される左水平支持脚２２と、ベース８の右前後に一体動作するように連結されて設けられた廻し摘み２３により内側に回動されたベース８内に収納される右水平支持脚２４とからなる傾形成手段２５としてなる切断装置２６を形成した点による。
左水平支持脚２２および右水平支持脚２４あるいはいずれか一方を上げることにより、被切断物支持部３を左右にあるいはいずれかに好みの傾きとすることができる。【００１４】  図３に示す本発明の最良の第３の実施の形態において前記本発明の最良の第１の実施の形態と主に異なる点は、傾形成手段をベース８の右側底部に右側を持上げる下部にコロ２８を有するラック脚２９と、このラック脚２９を昇降させる小歯車３０と、この小歯車３０を廻すハンドル３１とからなるジャッキー形態の傾形成手段３２としてなる切断装置３３を形成した点にある。
長物からなる被切断物を長手側を装置の左側に持ってくる場合にのみ有効であるが、一般的にはこの様な使用となるので効果は十分である。３４は固定足。【００１５】  図４に示す本発明の最良の第４の実施の形態において前記本発明の最良の第１の実施の形態と主に異なる点は、傾形成手段をベース８の下方に該８と分離されて設けられたベース３７と、このベース３７の中央に固定設けられベース８を横回転上下回動自在に連結する自在継手３８と、ベース８に設けらた該８の前部の操作ハンドル３９の廻し操作により自在継手３８の頂部を抑える開放するにより被切断物支持部３を任意の位置で固定する傾き廻り固定部４０からなる傾形成手段４１とした切断装置４２を形成した点にある。
４３は切断刃５の左右傾きを調節固定する刃傾調節ハンドルである。
被切断物支持部３の横廻しおよび傾きが自在であるので、被切断物を大体の所に置くだけで後は装置の被切断物の横傾き、縦傾きに装置を合わせる操作で正確な切断が行えるという効果を得ることができる。【００１６】  図５に示す本発明の最良の第５の実施の形態において前記本発明の最良の第１の実施の形態と主に異なる点は、傾形成手段をベース８の下方に設けた中ベース４６と、この中ベース４６の下部に該４６を横回転自在に支持して設けらた下部ベース４７と、この下部ベース４７と前記中ベース４６の間の中央前後線上に設けられた該４６と該４７を連結し且つ該４６を左右に傾け回動可能に支持する連結回動支部４８、４９と、連結回動支部４８の前部に固定された歯車５０、この大歯車５０と、この大歯車５０に噛んだ小歯車５１と、この小歯車５１を廻し操作するハンドル５２とからなる傾形成手段５３とし、ベース８の側部に中ベース４６の横回しを停止させる蝶ボルト５４を設け、ベース８の横回しを操作するハンドル５５を設けてなる切断装置５６を形成した点にある。
ハンドル５２を廻し大歯車５０を動かすことにより中ベース４６および被切断物支持部３を傾かせる。【００１７】  図６に示す本発明の最良の第６の実施の形態において前記本発明の最良の第１の実施の形態と主に異なる点は、傾形成手段をベース８の下方に設けた中ベース４６と、この中ベース４６の下部に該４６を横回転自在に支持して設けらた下部ベース４７と、ベース８と中ベース４６の間の中央前後線上に設けられた該８と該４６を連結し且つ該８を左右に傾け回動可能に支持する連結回動支部４８、４９と、連結回動支部４８の前部に固定された歯車５０、この大歯車５０と、この大歯車５０に噛んだ小歯車５１と、この小歯車５１を廻し操作するハンドル５２とからなる傾形成手段５９とし、中ベース４６の側部に該４６の横回しを停止させる蝶ボルト５４を設け、ベース８および中ベース４６の横回しを操作するハンドル５５を該８に設けてなる切断装置６０を形成した点にある。
ハンドル５２を廻し大歯車５０を動かすことにより被切断物支持部３を傾かせる。【００１８】  図７に示す本発明の最良の第７の実施の形態において前記本発明の最良の第１の実施の形態と主に異なる点は、傾形成手段をベース８の中央前後線上の低部に設けた脚形態の支脚体６２と、この支脚体６２の下部に軸支された足部６３とからなる傾形成手段６４とし、ベース８の水平状態を固定するための四角形の傾形成手段６４と同じ高さのアダプター６５、６６を床とベース８の間に置いてなる切断装置６７を形成した点にある。
傾形成手段６４は既存、購入済みの切断装置のベース低部に粘着剤やネジ゛などにより取り付け固定する切断装置支持装置として使用されるものでもある。【００１９】  図８に示す本発明の最良の第８の実施の形態において７０は切断装置支持装置であって、この切断装置支持装置７０は主に床などの装置置き面に置いて使用する電動丸鋸装置などの切断装置７４を載せる装置載せ部７１と、この装置載せ部７１の下部略中央前後線上に突出設けた脚形態の傾形成手段７２とからなり、この傾形成手段７２の底部を受ける受け体７３と、アダプター６５、６６とからなり、切断装置７４を装置載せ部７１に載せた状態で傾形成手段７２を支点に該切断装置７４および該装置載せ部７１を左右、前記切断装置にセットされる被切断物の傾きに合わせて傾かせることができるようにしてなるものである。
７５は切断装置７４が滑らないようにするストッパーである。【００２０】  図９に示す本発明の最良の第９の実施の形態において７７は切断装置支持装置であって、この切断装置支持装置７７は主に床などの装置置き面に置いて使用する電動丸鋸装置などの切断装置７４の底部に粘着剤やネジなどにより固定される固定部７８と、この固定部７８の下部に突出設けられた切断装置７４を天秤形態に支持する脚形態の傾形成手段７９と、この傾形成手段７９の底部を受ける受け体７３と、アダプター６５、６６とからなっている。
アダプター６６はベース８の底部に粘着剤などで固定して使用する。【００２１】  図１０に示す本発明の最良の第１０の実施の形態において８２は切断装置支持装置であって、この切断装置支持装置８２は主に床などの装置置き面に置いて使用する電動丸鋸装置などの切断装置７４を載せる上部ベース８３と、この上部ベース８３の下方の設けられた下部ベース８４と、上部ベース８３と下部ベース８４の間に該８３，８４を連結し且つ上部ベース８３を左右の一方の側に傾かせるジャッキー形態の傾形成手段８５とからなっている。
傾形成手段８５は左側で上部ベース８３と下部ベース８４を連結してなるジャッキー８６と、該８６を動作させるハンドル８７と、このハンドル８７を支持し且つ上部ベース８３を可動軸８８で軸支してなる下部ベース８４の右側に固定されてなる操作支持部８９とからなっている。【００２２】  図１１に示す本発明の最良の第１１の実施の形態において前記本発明の最良の第１の実施の形態と主に異なる点は、傾形成手段を上部ベース８３と下部ベース８４の中央に該８３と該８４を連結してなる圧縮コイルバネからなる傾き形成手段９１としてなる切断装置支持装置９２を形成した点にある。
上部ベース８３を適宜な間隔をあけて端方を下部ベース８４に回動自在に軸支し、一方の側に圧縮コイルバネからなる傾き形成手段を設けてなる構成もよい。
また、上部ベース８３と下部ベース８４の左右を圧縮コイルバネで浮かせ支持してなる構成もよい。【００２３】  図１２に示す本発明の最良の第１２の実施の形態において前記本発明の最良の第１の実施の形態と主に異なる点は、傾形成手段を上部ベース８３の下部に形成したテーパー部９４と、下部ベース８４の上部に設けられたラック９５に支持案内されて該９５に噛合う歯車（図示せず）を廻し摘み９６の手廻し操作により横移動する上部に支持コロ９７を有する上部ベース支持体９８とからなる傾形成部９９とし、上部ベース８３の右側と下部ベース８４の右側を回動自在に軸支部１０１で軸支してなる切断装置支持装置１００を形成した点にある。
以上述べてきた切断装置支持装置の形態なり技術思想を切断装置に設けてなる切断装置についても本発明の技術範囲に含まれるものである。その場合、上部ベースを切断装置のベースと見ることができる。
【産業上の利用可能性】
【００２４】  本発明は（発明の名称）を製造する産業で利用される。
【図面の簡単な説明】
【００２５】
【図１】本発明の最良の第１の実施の形態の正面図。
【図２】本発明の最良の第２の実施の形態の正面図。
【図３】本発明の最良の第３の実施の形態の正面図。
【図４】本発明の最良の第４の実施の形態の側面図。
【図５】本発明の最良の第５の実施の形態の側面図。
【図６】本発明の最良の第６の実施の形態の側面図。
【図７】本発明の最良の第７の実施の形態の正面図。
【図８】本発明の最良の第８の実施の形態の正面図。
【図９】本発明の最良の第９の実施の形態の正面図。
【図１０】本発明の最良の第１０の実施の形態の正面図。
【図１１】本発明の最良の第１１の実施の形態の正面図。
【図１２】本発明の最良の第１２の実施の形態の正面図。
【符号の説明】
【００２６】１：切断装置、
２：被切断物、
３：被切断物支持部、
４：切断刃支持部、
５：切断刃、
６：切断刃セット部、
７：傾形成手段、
８：ベース、
９：挟持部、
１０：駆動モータ、
１１：駆動部支持アーム、
１２：操作柄、
１３：軸、
１４：持上げ脚、
１５：握り柄、
１６：ストッパー、
１９：傾形成脚、
２０：足部、
２１：廻し摘み、
２２：左水平支持脚、
２３：廻し摘み、
２４：右水平支持脚、
２５：傾形成手段、
２６：切断装置、
２９：ラック脚、
３０：小歯車、
３１：ハンドル、
３２：傾形成手段、
３３：切断装置、
３４：固定足、
３７：ベース、
３８：自在継手、
３９：操作ハンドル、
４０：傾き廻り固定部、
４１：傾形成手段、
４２：切断装置、
４３：刃傾調節ハンドル、
４６：中ベース、
４７：下部ベース、
４８：連結回動支部、
４９：連結回動支部、
５０：大歯車、
５１：小歯車、
５２：ハンドル、
５３：傾形成手段、
５４：蝶ボルト、
５５：ハンドル、
５６：切断装置、
５９：傾形成手段、
６０：切断装置、
６２：支脚体、
６３：足部、
６４：傾形成手段、
６５：アダプター、
６６：アダプター、
７０：切断装置支持装置、
７１：装置載せ部、
７２：傾形成手段、
７３：受け体、
７４：切断装置、
７７：切断装置支持装置、
７８：固定部、
７９：傾形成手段
８２：切断装置支持装置、
８３：上部ベース、
８４：下部ベース、
８５：傾形成手段、
８６：ジャッキー、
８７：ハンドル、
８８：可動軸、
８９：操作支持部、
９１：傾き形成手段、
９２：切断装置支持装置、
９４：テーパー部、
９５：ラック、
９６：廻し摘み、
９７：支持コロ、
９８：上部ベース支持体、
９９：傾形成部、
１００：切断装置支持装置
１０１：軸支部。
【図１】
2005224931.tif 000003
【図２】
2005224931.tif 000004
【図３】
2005224931.tif 000005
【図４】
2005224931.tif 000006
【図５】
2005224931.tif 000007
【図６】
2005224931.tif 000008
【図７】
2005224931.tif 000009
【図８】
2005224931.tif 000010
【図９】
2005224931.tif 000011
【図１０】
2005224931.tif 000012
【図１１】
2005224931.tif 000013
【図１２】
2005224931.tif 000014